(57)【要約】【課題】組み付け作業性を犠牲にすることなく、背凭れ支持部材との嵌合部を外部から遮蔽でき、しかも、背板の一部への応力集中を回避することのできる椅子の背凭れ、及び、椅子を提供する。【解決手段】背板１１を背凭れ支持部材の前面に重ねて配置し、背凭れ支持部材と背板１１の幅方向両側の側縁部同士を、支持部材側嵌合部と背板側嵌合部の嵌合によって相互に結合する。背板１１の背板側嵌合部よりも幅方向外側位置から背凭れ支持部材側に屈曲する遮蔽壁１７を設ける。遮蔽壁１７によって背板側嵌合部を幅方向外側から遮蔽する。【選択図】図６
2015217048.tif 000002
【特許請求の範囲】
【請求項１】
背凭れ支持部材の前面側に重ねて配置され、前記背凭れ支持部材と背板自体の幅方向両側の側縁部同士が、支持部材側嵌合部と背板側嵌合部の嵌合によって相互に結合される椅子用背凭れの背板において、
前記背板側嵌合部よりも幅方向外側位置から前記背凭れ支持部材側に屈曲して、前記背板側嵌合部を幅方向外側から遮蔽する遮蔽壁が設けられていることを特徴とする椅子用背凭れの背板。
【請求項２】
前記遮蔽壁は、背板の幅方向中央領域の上端位置よりも下方に離間した位置に設けられていることを特徴とする請求項１に記載の椅子用背凭れの背板。
【請求項３】
前記遮蔽壁の上端部は、当該遮蔽壁の延出方向に向かって下方傾斜していることを特徴とする請求項２に記載の椅子用背凭れの背板。
【請求項４】
前記遮蔽壁は、前記背凭れ支持部材の背部側の外側面と面一になる位置まで延出していることを特徴とする請求項１〜３のいずれか１項に記載の椅子用背凭れの背板。
【請求項５】
支持構造体と、
前記支持構造体に支持される背凭れ支持部材と、
前記背凭れ支持部材の前面側に重ねて配置されて着座者の背部から荷重を受ける背板と、を備え、
前記背凭れ支持部材と前記背板の幅方向両側の側縁部同士が、支持部材側嵌合部と背板側嵌合部の嵌合によって相互に結合される椅子において、
前記背板には、前記背板側嵌合部よりも幅方向外側位置から前記背凭れ支持部材側に屈曲して、前記背板側嵌合部を幅方向外側から遮蔽する遮蔽壁が設けられていることを特徴とする椅子。
【請求項６】
前記背凭れ支持部材には、後面視で前方の前記背板が露出する内側開口部が設けられるとともに、前記支持部材側嵌合部よりも幅方向内側位置から前記背板側に屈曲して、前記支持部材側嵌合部を幅方向内側から遮蔽する内側遮蔽壁が設けられていることを特徴とする請求項５に記載の椅子。
【請求項７】
前記内側遮蔽壁は、前記背凭れ支持部材の前記内側開口部の縁部に沿う補強リブによって構成されていることを特徴とする請求項６に記載の椅子。
【請求項８】
前記背凭れ支持部材には、前記支持部材側嵌合部が上下方向に離間して複数設けられ、
前記内側遮蔽壁には、当該内側遮蔽壁の上下延出方向と交差する方向に屈曲する端部壁が設けられ、
複数の前記支持部材側嵌合部のうちの少なくとも一つは前記端部壁と連続して一体に形成されていることを特徴とする請求項６または７に記載の椅子。
【請求項９】
前記端部壁と連続して一体に形成される前記支持部材側嵌合部は、前記背板を前記背凭れ支持部材に対して上下方向に変位させることにより、対応する前記背板側嵌合部がスライド嵌合され、
前記端部壁は、前記支持部材側嵌合部のうちの、前記背板側嵌合部のスライド嵌合される側と逆側の端部に連続して形成されていることを特徴とする請求項８に記載の椅子。
【発明の詳細な説明】
【技術分野】
【０００１】
この発明は、椅子用背凭れの背板、及び、椅子に関するものである。
【背景技術】
【０００２】
事務用等として用いられる椅子は、脚柱の上部に支持構造体が連結され、その支持構造体に着座者の臀部を支持する座と、着座者の背部を支持する背凭れと、が取り付けられている。この種の椅子の背凭れの多くは、乗員の背部から荷重を受ける背板と、背板の後部で背板を支持する背凭れ支持部材と、を備え、背凭れ支持部材の左右の側縁部と背板の左右の側縁部とが、支持部材側嵌合部と背板側嵌合部の嵌合によって相互に結合されている（特許文献１，２参照）。
【０００３】
特許文献１に記載の椅子の背凭れは、背凭れ支持部材が矩形枠状に形成され、背板が背凭れ支持部材の矩形枠状のフレーム部の内側に取り付けられている。背凭れ支持部材は、左右の縦フレームの内側に円柱状の支持部材側嵌合部が突設され、背板の左右の側縁部には、支持部材側嵌合部と嵌合する凹状の背板側嵌合部が形成されている。この背凭れの場合、背板と背凭れ支持部材の嵌合部同士が回動方向の若干の滑りを許容した状態で組み付けられており、背板に着座者から荷重が入力されたときに、背板の中央領域の撓み変形が許容されるようになっている。
【０００４】
特許文献２に記載の椅子の背凭れは、略矩形状の背板の外周縁部が矩形枠状の背凭れ支持部材の前面に重ね合されており、背板の両側の側縁部の後面には、鉤状の背板側嵌合部が突設され、背凭れ支持部材の左右の側辺の前面側には、背板側嵌合部と係合可能な鉤状の支持部材側嵌合部が突設されている。また、背凭れ支持部材の左右の側辺の幅方向の両端部には、背板方向に突出して背板側の凸部と当接することにより、幅方向の位置ずれを規制する一対の位置ずれ規制壁が突設されている。背板側嵌合部と背凭れ側嵌合部とは、背凭れ支持部材の一対の位置ずれ規制壁間に形成された縦長溝内において、相互に嵌合されるようになっている。
【先行技術文献】
【特許文献】
【０００５】
【特許文献１】特許第５１３２９１７号公報
【特許文献２】特開２０１１−０９２５４６号公報
【発明の概要】
【発明が解決しようとする課題】
【０００６】
特許文献１に記載の椅子の背凭れは、背板側嵌合部と支持部材側嵌合部が外部に露出した状態で相互に嵌合されているため、背板と背凭れ支持部材の組み付け作業が容易になる反面、嵌合部が外部から目につくことから見栄えの観点からは望ましくない。
【０００７】
これに対し、特許文献２に記載の椅子の背凭れは、背板側嵌合部と支持部材側嵌合部が一対の位置ずれ規制壁の間で相互に嵌合する構造とされているため、嵌合部が外部から目につくことはないものの、一対の位置ずれ規制壁間の縦長溝内において、背板側嵌合部と支持部材側嵌合部の係合作業を行わなければならないため、組み付け作業が煩雑になる。
【０００８】
また、特許文献１，２に記載のいずれの椅子の背凭れにおいても、背板側嵌合部が背板の幅方向の端部の近傍に一体に設けられているため、背板の中央領域に着座者の背部から荷重が入力されたときに、背板の端部が中央領域の変形に追従して柔軟に変形しにくい。このため、背板の端部に応力が集中し易く、より応力を逃がし易い構造の案出が望まれている。
【０００９】
そこでこの発明は、組み付け作業性を犠牲にすることなく、背凭れ支持部材との嵌合部を外部から遮蔽でき、しかも、背板の一部への応力集中を回避することのできる椅子用背凭れの背板、及び、椅子を提供しようとするものである。
【課題を解決するための手段】
【００１０】
この発明に係る椅子用背凭れの背板は、上記課題を解決するために、背凭れ支持部材の前面側に重ねて配置され、前記背凭れ支持部材と背板自体の幅方向両側の側縁部同士が、支持部材側嵌合部と背板側嵌合部の嵌合によって相互に結合される椅子用背凭れの背板において、前記背板側嵌合部よりも幅方向外側位置から前記背凭れ支持部材側に屈曲して、前記背板側嵌合部を幅方向外側から遮蔽する遮蔽壁が設けられるようにした。
【００１１】
これにより、背板側嵌合部は、それよりも幅方向外側位置から背凭れ支持部材側に屈曲する遮蔽壁によって遮蔽される。したがって、背凭れ側嵌合部が外部から直接見えなくなり、見栄えを損なうことがない。また、背板の中央領域に着座者の背部から荷重が入力されると、背板側嵌合部よりも幅方向外側に位置される遮蔽壁が背板の中央領域の変形に追従して柔軟に変形する。このため、背板の幅方向の端部には応力が集中し難くなる。
【００１２】
前記遮蔽壁は、背板の幅方向中央領域の上端位置よりも下方に離間した位置に設けられることが望ましい。
この場合、背板の幅方向中央領域の上端位置が幅方向外側位置の遮蔽壁から離間しているため、着座者の背部から背板の幅方向中央領域に荷重が入力されたときに、幅方向中央領域の上端側の撓み変形が阻害されにくくなる。したがって、背板の中央領域の柔軟な変形を得ることができる。
【００１３】
前記遮蔽壁の上端部は、当該遮蔽壁の延出方向に向かって下方傾斜していることが好ましい。
この場合、背板の幅方向中央領域の上端部と、遮蔽壁の延出端との離間距離が長くなり、着座者の背部から背板の幅方向中央領域に荷重が入力されたときに、背板の幅方向中央領域の柔軟な変形をより確実に得ることができる。
【００１４】
前記遮蔽壁は、前記背凭れ支持部材の背部側の外側面と面一になる位置まで延出させるようにしても良い。
この場合、背板側嵌合部と支持部材側嵌合部が遮蔽壁によってより確実に遮蔽されるとともに、遮蔽壁と背凭れ支持部材の背部側の外側面との間に段差が生じないことから、外観品質をより高めることが可能になる。
【００１５】
また、この発明に係る椅子は、上記課題を解決するために、支持構造体と、前記支持構造体に支持される背凭れ支持部材と、前記背凭れ支持部材の前面側に重ねて配置されて着座者の背部から荷重を受ける背板と、を備え、前記背凭れ支持部材と前記背板の幅方向両側の側縁部同士が、支持部材側嵌合部と背板側嵌合部の嵌合によって相互に結合される椅子において、前記背板には、前記背板側嵌合部よりも幅方向外側位置から前記背凭れ支持部材側に屈曲して、前記背板側嵌合部を幅方向外側から遮蔽する遮蔽壁が設けられるようにした。
【００１６】
前記背凭れ支持部材には、後面視で前方の前記背板が露出する内側開口部が設けられるとともに、前記支持部材側嵌合部よりも幅方向内側位置から前記背板側に屈曲して、前記支持部材側嵌合部を幅方向内側から遮蔽する内側遮蔽壁が設けられるようにしても良い。
この場合、支持部材側嵌合部よりも幅方向内側から屈曲した内側遮蔽壁により、支持部材側嵌合部が内側開口部側から見て遮蔽されるため、椅子の外観品質をより高めることができる。
【００１７】
前記内側遮蔽壁は、前記背凭れ支持部材の前記内側開口部の縁部に沿う補強リブによって構成されるようにしても良い。
この場合、支持部材側嵌合部を遮蔽する内側遮蔽壁が背凭れ支持部材の内側開口部の縁部を補強する補強リブを兼ねるため、外観品質の向上と併せて背凭れの強度の向上を図ることができる。
【００１８】
前記背凭れ支持部材には、前記支持部材側嵌合部が上下方向に離間して複数設けられ、前記内側遮蔽壁には、当該内側遮蔽壁の上下延出方向と交差する方向に屈曲する端部壁が設けられ、複数の前記支持部材側嵌合部のうちの少なくとも一つは前記端部壁と連続して一体に形成されるようにしても良い。
この場合、複数の支持部材側嵌合部のうちの少なくとも一つは、内側遮蔽壁の端部に当該内側遮蔽壁と交差する方向に屈曲して設けられた端部壁によって補強される。したがって、支持部材側嵌合部の支持強度を高めることができる。
【００１９】
前記端部壁と連続して一体に形成される前記支持部材側嵌合部は、前記背板を前記背凭れ支持部材に対して上下方向に変位させることにより、対応する前記背板側嵌合部がスライド嵌合され、前記端部壁は、前記支持部材側嵌合部のうちの、前記背板側嵌合部のスライド嵌合される側と逆側の端部に連続して形成されるようにしても良い。
この場合、背板と背凭れ支持部材の組み付け時に、背板側嵌合部のスライド嵌合に伴う荷重が端部壁によっても支持されることになる。したがって、支持部材側嵌合部の支持剛性が高まるとともに、支持部材側嵌合部の位置精度も高まる。
【発明の効果】
【００２０】
この発明によれば、背板側嵌合部が、それよりも幅方向外側位置から背凭れ支持部材側に屈曲する遮蔽壁によって遮蔽されるため、背板と背凭れ支持部材の組み付け作業性を犠牲にすることなく、背凭れ支持部材との嵌合部を外部から遮蔽して外観品質の向上を図ることができる。
さらに、この発明によれば、背板の背板側嵌合部よりも幅方向外側位置から遮蔽壁が延設されているため、背板の中央領域に着座者の背部から荷重が入力されたときに、背板の中央領域の変形に遮蔽壁が柔軟に追従することにより、背板の幅方向の端部に応力が集中するのを回避することができる。
【図面の簡単な説明】
【００２１】
【図１】この発明の一実施形態に係る椅子の右側面図である。
【図２】この発明の一実施形態に係る椅子の背面図である。
【図３】この発明の一実施形態に係る椅子の図２のＩＩＩ−ＩＩＩ断面に対応する断面図である。
【図４】この発明の一実施形態に係る椅子の図３のＩＶ部の拡大図である。
【図５】この発明の一実施形態に係る椅子の図３のＶ−Ｖ断面に対応する断面図である。
【図６】この発明の一実施形態に係る椅子の図３のＶＩ−ＶＩ断面に対応する断面図である。
【図７】この発明の一実施形態に係る椅子の図３のＶＩＩ−ＶＩＩ断面に対応する断面図である。
【図８】この発明の一実施形態の背凭れと背凭れ連結部材を連結した状態で前部下方側から見た斜視図である。
【図９】この発明の一実施形態の背凭れフレームを背凭れ連結部材と連結した状態で前部下方側から見た斜視図である。
【図１０】この発明の一実施形態の背板を後部下方側から見た斜視図である。
【図１１】この発明の一実施形態に係る椅子の背凭れと背凭れ連結部材を連結して後部上方側から見た斜視図である。
【図１２】この発明の一実施形態に係る椅子の背板の右側面図である。
【図１３】この発明の一実施形態に係る椅子の背凭れフレームの正面図である。
【発明を実施するための形態】
【００２２】
以下、この発明の一実施形態を図面に基づいて説明する。なお、以下の説明においては、椅子に正規姿勢で着座した人の正面が向く図中矢印ＦＲの指す向きを「前」と呼び、それと逆側の向きを「後」と呼ぶものとする。また、「上」，「下」と「左」，「右」については、椅子に正規姿勢で着座した人の上方の図中矢印ＵＰの指す向きを「上」、それと逆側の向きを「下」と呼び、椅子に正規姿勢で着座した人の左側の図中矢印ＬＨの指す向きを「左」、それと逆側の向きを「右」と呼ぶものとする。
【００２３】
図１は、この実施形態に係る椅子１の右側面を示す図であり、図２は、椅子１の背面を示す図である。また、図３は、椅子１の図２のＩＩ−ＩＩ断面に対応する縦断面図である。
これらの図に示すように、この実施形態に係る椅子１は、フロア上に載置される脚部２と、脚部２の上端に設置されるボックス状の支基３と、支基３の上面側に取り付けられて着座者の臀部を支持する座４と、座４の後方側に配置されて着座者の背部を支持する背凭れ５と、支基３と背凭れ５を連結する背凭れ連結部材である連結ステー６と、座４の下面側の左右の両側部から座４の上方側に延出し、着座者の肘や腕先が載せ置かれる肘掛け７と、を備えている。なお、この実施形態においては、支基３が座４や背凭れ５等の荷重を支持する支持構造体を構成している。
【００２４】
脚部２は、キャスタ９ａ付きの多岐脚９と、多岐脚９の中央部より起立し昇降機構であるガススプリングを内蔵する脚柱１０と、を備え、脚柱１０の上端部に支基３が水平方向に回転可能に取り付けられている。支基３には、脚柱１０の昇降調整機構と背凭れ５の傾動調整機構が内蔵されている。
【００２５】
図４は、図３のＩＶ部を拡大して示した図であり、図５，図６，図７は、図３のＶ−Ｖ断面、ＶＩ−ＶＩ断面、ＶＩＩ−ＶＩＩ断面にそれぞれ対応する断面を示す図である。
背凭れ５は、これらの図にも示すように、着座者の背部から荷重を受ける背受け部材である背板１１と、背板１１の背部に取り付けられる強度部材である背凭れフレーム１２と、を有している。
【００２６】
図８は、背凭れ５を連結ステー６と連結した状態でこれらを前部下方側から見た図であり、図９は、背凭れフレーム１２を連結ステー６と連結した状態でこれらを前部下方側から見た図である。また、図１０は、背板１１を後部下方側から見た図であり、図１１は、背凭れ５を後部上方側から見た図、図１２は、背板１１の右側面を示す図、図１３は、連結ステー６を組み付けた背凭れフレーム１２の正面図である。
背板１１は、樹脂材料によって正面視が縦長の略矩形形状に形成されている。また、背板１１は、図１，図３，図１２等に示すように着座者の腰部に対応する位置（下から三分の一程度上方に上がった位置）が最も前方側に膨出するように上下方向に沿って湾曲して形成されている。背板１１は、上縁部１１ａ及び下縁部１１ｂと、左右両側の側縁部１１ｃ，１１ｄを残し、中央領域に所定パターンの複数の長孔９３…が形成されている。背板１１は、この複数の長孔９３…により、着座者の背部から荷重が入力されたときに中央領域の柔軟な変形を許容する。
【００２７】
背板１１は、図２，図１０，図１１等に示すように略上半部の左右幅が略下半部の左右幅よりも広く形成され、略上半部の左右の側辺は略平行となって形成されている。背板１１の略上半部側の左右の側縁部１１ｃ，１１ｄには、図５，図６，図１０に示すように、後述する背凭れフレーム１２と連結するための上部側の第１係合凹部１３（背受け側嵌合部）と、下部側の第２係止凸部１４（背受け側嵌合部）が一体に設けられている。第１係合凹部１３と第２係止凸部１４は、左右の側縁部１１ｃ，１１ｄの後面側に突出して設けられている。
【００２８】
第１係合凹部１３は、図５に示すように、略Ｃ字状断面が上下方向に所定長さ連続する溝状に形成されている。第１係合凹部１３の溝は後方側に向かって開口している。一方、第２係止凸部１４は、図６に示すように、円形断面部が幅の狭い棒状の支柱部に支持された断面形状に形成され、その断面が上下方向に所定長さ連続している。これらの第１係合凹部１３と第２係止凸部１４とは、後に詳述する背凭れフレーム１２側の第１係止凸部１５（支持部材側嵌合部）と第２係合凹部１６（支持部材側嵌合部）とにそれぞれ嵌合されるようになっている。
【００２９】
また、背板１１の左右の側縁部１１ｃ，１１ｄには、第１係合凹部１３や第２係止凸部１４よりも幅方向外側位置から後方側に向かって緩やかに屈曲し、側面視で、第１係合凹部１３や第２係止凸部１４よりも後方側位置まで延出する遮蔽壁１７が設けられている。この遮蔽壁１７は、後に詳述するように背凭れ５を側方から見たときに、第１係合凹部１３や第２係止凸部１４が外部から見えないように、側部外側から覆い隠すように機能する。
【００３０】
幅方向左右の各遮蔽壁１７は、背板１１の中央領域の上端部よりも下方に離間した位置に設けられている。特に、この実施形態においては、各遮蔽壁１７の上部辺は遮蔽壁１７の椅子後方側の延出方向に向かって下方に傾斜している。背板１１の中央領域の上縁部１１ａと各遮蔽壁１７の上部辺の間は、図１２に示すように側面視で略Ｖ字状の溝が形成されるように離間している。したがって、背板１１の中央領域の上端部は、各遮蔽壁１７の延出端に対してより大きく離間し、背板１１の上縁部１１ａの柔軟な変形が遮蔽壁１７によって阻害されることがなくなる。
【００３１】
背板１１の下縁部１１ｂの幅方向の中央部には、図３，図４，図７，図１０等に示すように、後方側に半球状に膨出するボス部１８が一体に形成されている。このボス部１８の前面側には、背板１１の前面側の荷重受け面の一般部に対して凹状に窪む窪み部１９が設けられている。ボス部１８には前後方向に貫通するボルト挿通孔２０が形成され、ボルト挿通孔２０の窪み部１９側に寄った位置にはナット２１が埋設されている。また、背板１１の下縁部１１ｂのうちの窪み部１９の形成される位置は、座４の後面と対向する位置とされている。
【００３２】
背凭れフレーム１２は、図２，図９，図１３等に示すように、正面視が下向きの略五角形状の枠状フレーム部１２Ａと、枠状フレーム部１２Ａの下端から下方に延出した後に前方側に湾曲して延びる連結フレーム部１２Ｂと、を備えている。この実施形態の背凭れフレーム１２においては、図２に示すように、後面視で前方の背板１１の露出する内側開口部９２が枠状フレーム部１２Ａの内側領域に形成されている。
【００３３】
枠状フレーム部１２Ａの左右の側辺１２Ａｃ，１２Ａｄは、相互に略平行となるように上下方向に沿って延出している。この側辺１２Ａｃ，１２Ａｄは、背板１１の略上半部の左右の側縁部１１ｃ，１１ｄの後面に対向して配置される。
枠状フレーム部１２Ａの上辺１２Ａａは、側辺１２Ａｃ，１２Ａｄに連結される左右の端部に対し、中央領域が後方側に凹状に湾曲している。上辺１２Ａａの幅方向の中央領域の後面には、図２，図３等に示すように、ヘッドレストやハンガー等のオプション部材を取り付けるための凹部２２が設けられている。この凹部２２は、オプション部材を用いないときには蓋部材２３によって閉塞されている。
【００３４】
図９に示すように、枠状フレーム部１２Ａの左右の側辺１２Ａｃ，１２Ａｄと連結フレーム部１２Ｂの前面側には、各側辺１２Ａｃ，１２Ａｄから連結フレーム部１２Ｂに連続する一対の外縁リブ２４が突設されている。この外縁リブ２４は、左右の各側辺１２Ａｃ，１２Ａｄと連結フレーム部１２Ｂの底面に対して略直交方向に突出しており、各側辺１２Ａｃ，１２Ａｄから連結フレーム部１２Ｂに亘る領域の強度の向上が図られている。
また、枠状フレーム部１２Ａの左右の側辺１２Ａｃ，１２Ａｄと、各側辺１２Ａｃ，１２Ａｄの下端に連続する傾斜辺１２Ａｅ，１２Ａｆの幅方向内側の端部には、前方側に向かって突出する補強リブである内縁リブ２５（内側遮蔽壁）が連続して形成されている。
【００３５】
枠状フレーム部１２Ａの左右の側辺１２Ａｃ，１２Ａｄの上端側の各前面には、背板１１の側縁部１１ｃ，１１ｄの上部側の第１係合凹部１３に嵌合される第１係止凸部１５が突設され、左右の側辺１２Ａｃ，１２Ａｄの下端側の各前面には、背板１１の側縁部１１ｃ，１１ｄの下部側の第２係止凸部１４に嵌合される第２係合凹部１６が突設されている。
【００３６】
第１係止凸部１５は、図５に示すように、円形断面部が幅の狭い棒状の支柱部に支持された断面形状に形成され、その断面が上下方向に所定長さ連続している。一方、第２係合凹部１６は、図６に示すように、略Ｃ字状断面が上下方向に所定長さ連続する溝状に形成されている。第２係合凹部１６の溝は前方側に向かって開口している。
【００３７】
ここで、図９に示すように、左右の側辺１２Ａｃ，１２Ａｄに形成される外縁リブ２４と内縁リブ２５の上端部には、これらに略直交するように前方側に突出する端部壁２６が一体に連設されている。上方側の第１係止凸部１５の各下端部は端部壁２６の上面と連続して一体に形成されている。
一方、左右の側辺１２Ａｃ，１２Ａｄの下端側に設けられる第２係合凹部１６は、図６，図９に示すように、外縁リブ２４よりも幅方向外方側に配置されている。
【００３８】
枠状フレーム部１２Ａから連結フレーム部１２Ｂの前面側まで延出した一対の外縁リブ２４の間には、連結フレーム部１２Ｂの底壁にも結合された連結ブロック２７が結合されている。この連結ブロック２７は、連結フレーム部１２Ｂの底壁と一対の外縁リブ２４に連結される複数の横リブ（符号省略）と、横リブ間を縦方向に連結する一対の縦リブ（符号省略）とを備えている。連結ブロック２７の幅方向中央領域には、図３，図４，図７等に示すように、連結フレーム部１２Ｂの底壁側との間に後述する連結ステー６の上方延出部４０を収容配置するための収容空間４１が形成されている。また、連結ブロック２７の収容空間４１の前方側には、上下方向に板状に延出する前部支持壁２８が設けられ、連結ブロック２７の収容空間４１の上方側には、連結ステー６の上方延出部４０の上端部が嵌入される貫通孔２９（嵌合係止部）が設けられている。
【００３９】
連結ブロック２７の前部支持壁２８には、図４に示すように、前後方向に貫通する上下一対のボルト挿通孔３０，３１が形成されている。上方側のボルト挿通孔３０には、ナット３２が埋設されている。前部支持壁２８の前面のうちの、下部側のボルト挿通孔３１の延長上位置には、背板１１の下縁部１１ｂのボス部１８が嵌入される半球状の凹部３３が形成されている。
【００４０】
この実施形態の場合、連結フレーム部１２Ｂの下縁の前方側に湾曲して延出する部分は下部支持壁３４を構成し、連結フレーム部１２Ｂの下部支持壁３４と前部支持壁２８の間を連結する部分は連結壁３５を構成している。下部支持壁３４の左右両側には側壁３６，３６が延設され、下部支持壁３４と両側の側壁３６，３６を合わせた断面形状が上方側に開口する略コ字状とされている。この実施形態の場合、下部支持壁３４と両側の側壁３６，３６を合わせた略コ字状断面の上方側の空間部が挿入許容空間３７を構成している。
【００４１】
連結ステー６は、上方側に開口する略コ字状の金属製の前部プレート６Ａと、この前部プレート６Ａの上面に結合された金属製の肉厚の後部片６Ｂと、を備えている。前部プレート６Ａは左右一対の側壁が前方側に向かって延出し、これらの側壁が支基３内に挿入され、支基３内の図示しない傾動機構に連結されている。
【００４２】
後部片６Ｂは、前部プレート６Ａの上面に結合されるベース部４４と、ベース部４４の後端位置から後部斜め上方に鈍角をなして延出する傾斜連結部４５と、傾斜連結部４５の後端位置から上方側に屈曲して延出する前述の上方延出部４０と、を有している。
なお、この実施形態の場合、前部プレート６Ａと後部片６Ｂのベース部４４とが、支持構造体である支基３から座４の後方側に延出する後方延出部を構成している。また、この実施形態においては、後部片６Ｂの傾斜連結部４５は屈曲部を持たない平坦な形状に形成されており、ベース部４４と上方延出部４０を二段階に屈曲したかたちで接続している。しかし、傾斜連結部４５は、ベース部４４と上方延出部４０を三段階以上に屈曲して接続する構造であっても良く、さらに、円弧状に湾曲してベース部４４と上方延出部４０を滑らかに接続する構造であっても良い。
【００４３】
後部片６Ｂの傾斜連結部４５は、ベース部４４とほぼ同幅に形成されているが、上方延出部４０はベース部４４や傾斜連結部４５に比較して狭い幅に形成されている。そして、上方延出部４０の上端部には、段差状に幅の狭まったガイド突起４６が突設されている。このガイド突起４６は、上方延出部４０が背凭れフレーム１２側の収容空間４１内に収容配置されるときに、連結ブロック２７の上壁の貫通孔２９に嵌入される。こうして、ガイド突起４６が貫通孔２９に嵌入される際には、ガイド突起４６が所定長嵌入されたところで、ガイド突起４６と上方延出部４０の一般部との間の段差部が貫通孔２９の下縁に当接する。
【００４４】
ここで、背凭れフレーム１２の下縁の下部支持壁３４は、図３，図４に示すように、連結ステー６の後方延出部である前部プレート６Ａとベース部４４の下面に沿うように前方に延出し、前部プレート６Ａとベース部４４の下面に当接するようになっている。この実施形態の場合、下部支持壁３４は、下方側から前部プレート６Ａとベース部４４の重ね合わせ部に対して左右２本のボルト４９，４９によって締結固定されている。
【００４５】
背凭れフレーム１２の前部支持壁２８は、図３，図４等に示すように、連結ステー６の上方延出部４０が収容空間４１に収容配置された状態において、当該上方延出部４０の前面に沿って延出している。そして、前部支持壁２８は、上方延出部４０の前面に当接した状態で、上下２本のボルト５０，５１によって上方延出部４０に締結固定されている。上部側のボルト５０は、上方延出部４０の上方側のボルト挿通孔３０に挿入され、そのボルト挿通孔３０に埋設されたナット３２に螺合される。また、下部側のボルト５１は、上方延出部４０の下方側のボルト挿通孔３１と背板１１のボルト挿通孔２０に挿入され、背板１１のボルト挿通孔２０に埋設されたナット２１に螺合される。
【００４６】
なお、背凭れフレーム１２の下縁の後壁のうちの、前部支持壁２８の後面に対向する位置には、ボルト５０，５１の締結作業を行うための作業孔５２が形成されている。作業孔５２は、上下方向に長い楕円状に形成され、背凭れフレーム１２の収容空間４１を通して前部支持壁２８の後面側を椅子１の後方側に開放するようになっている。作業孔５２は、背凭れフレーム１２の下縁の後壁のうちの最も後方側に膨出する部分に形成されている。作業孔５２は、ボルト５０，５１の締結作業を終えた後には、楕円状の閉塞部材５３が嵌合され、その閉塞部材５３によって閉塞される。
【００４７】
また、背凭れフレーム１２の下縁（連結壁３５）の後壁のうちの、作業孔５２の下方位置から下部支持壁３４に連なる領域は、連結ステー６の傾斜連結部４５にほぼ沿う傾斜部３５ａとされている。
【００４８】
背凭れ５は、連結ステー６に組み付ける前に、背凭れフレーム１２の前面側に背板１１を取り付けておく。このとき、最初に背凭れフレーム１２の枠状フレーム部１２Ａの前面上部の第１係止凸部１５に、背板１１の後面上部の対応する第１係合凹部１３を上方から下方にスライドさせつつ嵌合する。
このとき、背凭れフレーム１２側の第１係止凸部１５の下端は、内縁リブ２５と外縁リブ２４に結合された端部壁２６に一体に連続して形成されているため、上述のスライド嵌合時に第１係止凸部１５に作用する荷重は端部壁２６によって高い剛性をもって受け止められる。また、第１係止凸部１５が端部壁２６と一体に連続して形成されていることから、上述のスライド嵌合時には、背板１１と背凭れフレーム１２とを上下方向で正確に位置決めすることができる。
【００４９】
この後、背板１１の上下方向略中央の左右の縁部を枠状フレーム部１２Ａの前面に押し付け、背板１１の後面の第２係合凹部１６を、枠状フレーム部１２Ａの前面の第２係止凸部１４に嵌合する。これにより、背板１１の略上半部は背凭れフレーム１２の枠状フレーム部１２Ａに係止される。また、背板１１の下縁部１１ｂは、その後面側の中央に突設された半球状のボス部１８が背凭れフレーム１２の前部支持壁２８の前面の凹部３３に嵌入される。そして、背板１１の下縁部１１ｂは、上方延出部４０の後面側からボルト５１をボス部１８内のナット２１に螺合することによって背凭れフレーム１２と連結ステー６に共締め固定される。
【００５０】
以上のように、この実施形態に係る椅子１は、背板１１の側縁部１１ｃ，１１ｄから後方に突出する第１係合凹部１３と第２係止凸部１４が、背板１１のこれらよりも幅方向外側位置から後方側に屈曲する遮蔽壁２６によって幅方向外側を遮蔽されているため、背板１１と背凭れフレーム１２の組み付け作業性を犠牲にすることなく、嵌合部を外部から隠して外観品質を向上させることができる。
【００５１】
また、この実施形態に係る椅子１は、背板１１の第１係合凹部１３と第２係止凸部１４よりも幅方向外側位置から遮蔽壁２６が連続して延設されているため、背板１１の中央領域に着座者の背部から荷重が入力されたときに、遮蔽壁１７を含む背板１１の側縁部１１ｃ，１１ｄが中央領域の変形に追従して柔軟に変形し易くなる。
したがって、この実施形態に係る椅子１においては、背板１１の中央領域に大きな荷重が入力された場合にも、背板１１の幅方向の端部に応力が集中し難くなる。よって、この実施形態の椅子１においては、背板１１の耐久性を高めることができる。
【００５２】
また、この実施形態に係る椅子１においては、背板１１の側縁部１１ｃ，１１ｄの各遮蔽壁１７が、背板１１の幅方向中央領域の上端位置よりも下方側に離間した位置に設けられているため、着座者の背部から背板１１の幅方向中央領域に荷重が入力されたときに、幅方向中央領域の上端側の撓み変形が屈曲した遮蔽壁１７によって阻害されにくくなる。したがって、この実施形態の椅子１においては、背板１１の中央領域の柔軟な変形を得ることができる。
【００５３】
さらに、この実施形態に係る椅子１の場合、背板１１の側縁部１１ｃ，１１ｄの各遮蔽壁１７の上端部が、当該遮蔽壁１７の延出方向に向かって下方に傾斜し、側面視で背板１１の上縁部１１ａと側縁部１１ｃ，１１ｄの間に略Ｖ字状の溝が形成されるように両者の間が離間している。このため、背板１１の幅方向中央領域の上端部と、各遮蔽壁１７の延出端との離間距離が長くなり、着座者の背部から背板１１の幅方向中央領域に荷重が入力されたときに、背板１１の幅方向中央領域の柔軟な変形をより確実に得ることができる。
【００５４】
また、この実施形態に係る椅子１の場合、背板１１の側縁部１１ｃ，１１ｄの各遮蔽壁１７が背凭れフレーム１２の枠状フレーム部１２Ａの後側の外側面と面一になる位置まで延出している。このため、第１係合凹部１３と第１係止凸部１５、第２係止凸部１４と第２係合凹部を１６の各嵌合部を遮蔽壁１７によってより確実に遮蔽することができるとともに、遮蔽壁１７の延出端と枠状フレーム部１２Ａの間に段差が生じなくなる。したがって、この実施形態の構造を採用することにより、椅子１の外観品質を向上させることができる。
【００５５】
また、この実施形態に係る椅子１においては、背凭れフレーム１２の第１係止凸部１５と第２係合凹部１６よりも幅方向内側位置に背板１１側に向かって屈曲する内縁リブ２５が設けられているため、背凭れフレーム１２の枠状フレーム部１２Ａと背板１１との嵌合部を内縁リブ２５によって内側開口部９２方向から覆い隠すことができる。したがって、この実施形態の構造を採用することにより、椅子１の外観品質をさらに向上させることができる。
【００５６】
特に、この実施形態の場合、内縁リブ２５は、背凭れフレーム１２の枠状フレーム部１２Ａの内縁部を補強する補強リブを兼ねるため、外観品質の向上と併せて背凭れフレーム１２の強度の向上を図ることができる。
【００５７】
さらに、この実施形態に係る椅子１においては、背凭れフレーム１２の内縁リブ２５の上端部に、内縁リブ２５の延出方向と交差する端部壁２６が設けられ、背凭れフレーム１２の上部側の第１係止凸部１５がその端部壁２６と連続して一体形成されている。このため、第１係止凸部１５の近傍部が補強リブを兼ねる内縁リブ２５によって補強される。したがって、この構造を採用することにより、第１係止凸部１５の近傍部の支持強度を高めることができる。
【００５８】
さらに、この実施形態の場合、背板１１を背凭れフレーム１２に対して下方に変位させることにより、背板１１側の第１係合凹部１３が背凭れフレーム１２側の第１係止凸部１５にスライド嵌合される構造とされるとともに、背凭れフレーム１２側の第１係止凸部１５を支持する端部壁２６が、第１係止凸部１５のうちの、背板１１側の第１係合凹部１３のスライド嵌合される側と逆側の端部に連続して形成されている。このため、背板１１と背凭れフレーム１２の組み付け時に、スライド嵌合に伴う荷重を端部壁２６によって剛的に受け止めることができる。したがって、この構造を採用することにより、第１係止凸部１５の支持剛性が高めることができるとともに、第１係止凸部１５の位置精度も高めることができる。
【００５９】
なお、この発明は上記の実施形態に限定されるものではなく、その要旨を逸脱しない範囲で種々の設計変更が可能である。
【符号の説明】
【００６０】
１  椅子
３  支基（支持構造体）
５  背凭れ
１１  背板
１２  背凭れフレーム（背凭れ支持部材）
１３  第１係合凹部（背板側嵌合部）
１４  第２係止凸部（背板側嵌合部）
１５  第１係止凸部（支持部材側嵌合部）
１６  第２係合凹部（支持部材側嵌合部）
１７  遮蔽壁
２５  内側リブ（補強リブ，内側遮蔽壁）
２６  端部壁
９２  内側開口部
【図１】
2015217048.tif 000003
【図２】
2015217048.tif 000004
【図３】
2015217048.tif 000005
【図４】
2015217048.tif 000006
【図５】
2015217048.tif 000007
【図６】
2015217048.tif 000008
【図７】
2015217048.tif 000009
【図８】
2015217048.tif 000010
【図９】
2015217048.tif 000011
【図１０】
2015217048.tif 000012
【図１１】
2015217048.tif 000013
【図１２】
2015217048.tif 000014
【図１３】
2015217048.tif 000015